(57)【要約】【課題】容器の気密性を高く保つことが出来ると共に、移し変えも容易で、かつ使用感も良好なリング体を提供することのできる陰茎勃起補助器具を提供する。【解決手段】一端に挿入口が、他端に排気口が設けられる円筒状の容器と、容器の挿入口にその外周縁が弾力的かつ着脱可能に嵌着され、その中心孔が容器内へ突入するよう構成されたリング体とを備え、リング体の中心孔に陰茎を挿入し、陰茎の根本をリング体により嵌着した状態で排気口から容器内の空気を吸引し減圧することで陰茎を締め上げて鬱血させて勃起させるようにした陰茎勃起補助器具において、リング体は２層の弾性部材が重ね合わされて構成され、外周縁においては互いに接着されて延在し、容器内への突入部においては２層の弾性部材同士が間隔をおいて接触と離隔とを繰返しながら延在し、先端において互いに密着するよう構成され、弾性部材には挿入口から所定の距離だけ容器内に入った位置に突起が形成されている。【選択図】      図１
2020025602.tif 000002
【特許請求の範囲】
【請求項１】
一端に挿入口が、他端に排気口が設けられる円筒状の容器と、
前記容器の前記挿入口にその外周縁が弾力的かつ着脱可能に嵌着され、その中心孔が前記容器内へ突入するよう構成されたリング体とを備え、
前記リング体の前記中心孔に陰茎を挿入し、前記陰茎の根本を前記リング体により嵌着した状態で前記排気口から前記容器内の空気を吸引し減圧することで前記陰茎を締め上げて鬱血させて勃起させるようにした陰茎勃起補助器具において、
前記リング体は、２層の弾性部材が重ね合わされて構成され、
前記外周縁においては互いに接着されて延在し、前記容器内への突入部においては前記２層の弾性部材同士が間隔をおいて接触と離隔とを繰返しながら延在し、先端において互いに密着するよう構成され、前記容器内において内側に位置する前記弾性部材には、前記挿入口から所定の距離だけ前記容器内に入った位置に突起が形成されていることを特徴とする陰茎勃起補助器具。
【請求項２】
前記リング体は、前記陰茎を締めつける先端部に複数個の凹凸が形成されていることを特徴とする請求項１に記載の陰茎勃起補助器具。
【請求項３】
前記リング体は、前記２層の弾性部材同士が不規則間隔で接触と離隔とを繰返していることを特徴とする請求項１に記載の陰茎勃起補助器具。
【請求項４】
前記弾性部材がシリコーン樹脂又はエラストマーであることを特徴とする請求項１に記載の陰茎勃起補助器具。
【請求項５】
前記容器は透明な樹脂で作製され、曇り防止加工がされていることを特徴とする請求項１に記載の陰茎勃起補助器具。
【請求項６】
一端に挿入口が、他端に排気口が設けられる円筒状の容器と、
前記容器内に着脱可能に挿入され、前記排気口に対向する先端位置に開口が設けられ、末端が開放された内面に凹凸が形成された第１の弾性部材からなる円筒状の袋体と、
前記容器の前記挿入口にその外周縁が弾力的かつ着脱可能に装着され、その中心孔が前記容器内へ突入するよう構成されたリング体とを備え、
前記リング体の前記中心孔に陰茎を挿入し、前記陰茎の根本を前記リング体により嵌着した状態で前記排気口から前記容器内の空気を吸引し減圧することで前記陰茎を締め上げて鬱血させて勃起させるようにした陰茎勃起補助器具において、
前記リング体は、２層の第２の弾性部材が重ね合わされて構成され、
前記外周縁においては互いに接着されて延在し、前記容器内への突入部においては前記２層の第２の弾性部材同士が間隔をおいて接触と離隔とを繰返しながら延在し、先端において互いに密着するよう構成され、前記容器内において内側に位置する前記第２の弾性部材には、前記挿入口から所定の距離だけ前記容器内に入った位置に突起が形成されていることを特徴とする陰茎勃起補助器具。
【請求項７】
前記第１の弾性部材および前記第２の弾性部材がシリコーン樹脂又はエラストマーであることを特徴とする請求項６に記載の陰茎勃起補助器具。
【発明の詳細な説明】
【技術分野】
【０００１】
本発明は、加齢、心因性または糖尿病などの疾患による男性性器の勃起不全（ＥＤ：Erectile Dysfunction）の治療のために使用される陰茎勃起補助器具に関する。
【背景技術】
【０００２】
勃起は、陰茎に流入する血流量が増加し、同時に陰茎からの血液流出が制限されることにより生じる。この生理現象は、陰茎の神経血管系、特に海綿体平滑筋の収縮弛緩によって制御されている。
加齢に伴うＥＤの原因は、内皮細胞障害による生体内でのＮＯ（nitric oxide）依存性弛緩反応の低下であるといわれている。
【０００３】
糖尿病はＥＤのリスクが高い疾患である。現在、糖尿病の男性患者の約５０〜７５％がＥＤであることが報告されている。
インスリンは海綿体平滑筋の弛緩に寄与するＬ‐アルギニンの細胞内への取り込みを促進させ、ＮＯは生体内でＮＯ合成酵素（nitric oxide synthase：ＮＯＳ）の作用によりＬ−アルギニンから生成される。
したがって糖尿病によるインスリン欠乏またはインスリン抵抗性が増大すると、弛緩反応に負に働く。
また、慢性腎不全患者の２０〜５０％が性機能障害を訴えており、透析患者では約４５％がＥＤに罹患しているといわれている。
【０００４】
これらの加齢、心因性または糖尿病などの疾患によるＥＤの治療を目的として陰茎勃起補助器具が使用されている。
陰茎勃起補助器具を使用して陰茎の勃起と委縮とを繰り返すことにより、海綿体平滑筋の収縮弛緩機能の回復を計ったり、勃起した陰茎の海綿体平滑筋に薬材を注入して治療を行うことが行なわれている。この種の陰茎勃起補助器具は、各種のものが提供されているが、その基本的な構造は、円筒状のシリンダの一端を開放し、他端に設置した連結管からシリンダ内部の空気を外部へ排出できるようにし、開放部からシリンダ内部へ委縮した陰茎を挿入し、開放部に設置したゴム製バンド等によって、陰茎の根本を圧迫するとともに、ポンプを使ってシリンダ内の空気を外部へ排出することによりシリンダ内に負圧を発生させ、海綿体組織内の血管に血液を強制的に誘引し、拡充した血管によって勃起された陰茎の一部を締め付けて血液の環流を防ぎ、勃起状態を維持させるように構成されている。
このような従来の陰茎勃起補助器具としては、特許文献１〜４に記載されたものが知られている。
【先行技術文献】
【特許文献】
【０００５】
【特許文献１】特許公報第３０６００００号
【特許文献２】特開２０００−３５０７４１
【特許文献３】登録実用新案公報第３０１７３６０号
【特許文献４】特許公報第６２９１１２５号
【０００６】
特許文献１に記載されている補助器具は、シリンダの開放端に陰茎を挿入し、その開放端を陰茎根本部周辺の身体部位に押し当てて密閉し、シリンダ内を負圧にするものであるが、必ずしも十分にシリンダを密閉できず、気密性が悪いという問題がある。
特許文献２に記載されている補助器具は、勃起度に応じて勃起した陰茎の根本を適当な締め付け強さで締め付けることができるが、構造が複雑で、しかも陰茎を締め付けたリング体とシリンダとの分離が必ずしも容易ではないという問題がある。
【０００７】
さらに特許文献３に記載されている補助器具は、血液集中が十分な状態に達した時点で、締め上げリングとシリンダとの係合を解き、締め上げリングを陰茎の根本に密着させて締め上げ、必要な時間だけこの装着を維持するものである。
しかし、締め上げリングをシリンダに係合させた状態でシリンダの開放端を陰茎根本周辺部周辺の身体部位に押し当てたときに、シリンダの気密性が十分に保たれるという保証はない。
【０００８】
特許文献４に記載されている補助器具は、陰茎を締め付けるリング体を少なくとも３層の弾性部材を重ね合わせて構成し、容器内への突入部において隣接する弾性部材同士が離隔して延在し、先端において隣接する弾性部材同士が互いに接触するようにしたものである。そして３つの圧力隔壁により差圧を分割して陰茎を締め上げるので、気密性を高く保つことができる。
しかし、リング体が少なくとも３層の弾性部材を重ね合わせて圧力隔壁を構成する必要があるため構造が複雑で作製が必ずしも容易でないという問題がある。
【発明の概要】
【発明が解決しようとする課題】
【０００９】
本発明は、上述した従来の問題点を解決するためになされたもので、陰茎の締め付けリングを円筒状の容器に係合させて容器内に負圧を発生させて陰茎を勃起させた後に、締め付けリングを陰茎の根元へ移し変えるのに用いられる陰茎勃起補助器具において、容器の気密性を高く保つことが出来ると共に、移し変えも容易で、かつ使用感も良好なリング体を提供することのできる陰茎勃起補助器具を提供することを目的とする。
【課題を解決するための手段】
【００１０】
上記目的を達成するための、請求項１に記載の発明では、一端に挿入口が、他端に排気口が設けられる円筒状の容器と、容器の挿入口にその外周縁が弾力的かつ着脱可能に嵌着され、その中心孔が容器内へ突入するよう構成されたリング体とを備え、リング体の中心孔に陰茎を挿入し、陰茎の根本をリング体により嵌着した状態で排気口から容器内の空気を吸引し減圧することで陰茎を締め上げて鬱血させて勃起させるようにした陰茎勃起補助器具において、リング体は、２層の弾性部材が重ね合わされて構成され、外周縁においては互いに接着されて延在し、容器内への突入部においては２層の弾性部材同士が間隔をおいて接触と離隔とを繰返しながら延在し、先端において互いに密着するよう構成され、容器内において内側に位置する弾性部材には、挿入口から所定の距離だけ容器内に入った位置に突起が形成されていることを特徴とする。
【００１１】
請求項２に記載の発明では、請求項１に記載の構造に加え、リング体は、陰茎を締めつける先端部に複数個の凹凸が形成されていることを特徴とする。
請求項３に記載の発明では、請求項１に記載の構造に加え、リング体は、２層の弾性部材同士が不規則間隔で接触と離隔とを繰返していることを特徴とする。
請求項４に記載の発明では、請求項１に記載の構造に加え、弾性部材がシリコーン樹脂又はエラストマーであることを特徴とする。
請求項５に記載の発明では、請求項１に記載の構造に加え、容器は透明な樹脂で作製され、曇り防止加工がされていることを特徴とする。
【００１２】
請求項６に記載の発明では、一端に挿入口が、他端に排気口が設けられる円筒状の容器と、容器内に着脱可能に挿入され、排気口に対向する先端位置に開口が設けられ、末端が開放された内面に凹凸が形成された第１の弾性部材からなる円筒状の袋体と、容器の挿入口にその外周縁が弾力的かつ着脱可能に装着され、その中心孔が容器内へ突入するよう構成されたリング体とを備え、リング体の中心孔に陰茎を挿入し、陰茎の根本をリング体により嵌着した状態で排気口から容器内の空気を吸引し減圧することで陰茎を締め上げて鬱血させて勃起させるようにした陰茎勃起補助器具において、リング体は、２層の第２の弾性部材が重ね合わされて構成され、外周縁においては互いに接着されて延在し、容器内への突入部においては２層の第２の弾性部材同士が間隔をおいて接触と離隔とを繰返しながら延在し、先端において互いに密着するよう構成され、容器内において内側に位置する第２の弾性部材には、挿入口から所定の距離だけ容器内に入った位置に突起が形成されていることを特徴とする。
【００１３】
請求項７に記載の発明では、請求項６に記載の構造に加え、第１の弾性部材および第２の弾性部材がシリコーン樹脂又はエラストマーであることを特徴とする。
【発明の効果】
【００１４】
本発明では、リング体は２層の弾性部材が重ね合わされて構成され、弾性部材には所定位置に突起が形成されている。そして２層圧力隔壁により差圧を分割して陰茎を締め上げるので、気密性は３層圧力隔壁に比較して若干低くなるものの、所定位置に形成された突起による締め付けと、陰茎への可動刺激とより勃起保持力は高くなる。しかも使用感の良好なリング体を提供することのできる陰茎勃起補助器具を提供することができる。
【図面の簡単な説明】
【００１５】
【図１】本発明の陰茎勃起補助器具に使用されるリング体の実施例を示す図でＡはその断面図、Ｂはその斜視図。
【図２】本発明の陰茎勃起補助器具の一実施例を示す断面構造図。
【図３】本発明の陰茎勃起補助器具の他の実施例を示す断面構造図。
【図４】従来の陰茎勃起補助器具の一例を示す断面構造図で、Ａは全体断面構造図、Ｂはリング体の斜視図。
【発明を実施するための形態】
【００１６】
以下、本発明の陰茎勃起補助器具の具体的な実施の形態を図１〜図３に基づいて説明する。
図１は、本発明の陰茎勃起補助器具に使用されるリング体の実施例を示す図で、Ａはその断面図、Ｂはその斜視図を示す。
このリング体１０は、２層の弾性部材１１，１２を重ね合わせて構成されている。
リング体１０は、その外周縁１４においては隣接する弾性部材同士１１と１２とが互いに接着されて延在するように構成されている。
【００１７】
そして容器内への突入部においては、２層の弾性部材同士１１，１２が間隔をおいて接触と離隔とを繰返しながら延在し、先端において互いに密着するように構成されている。容器２０内において内側に位置する弾性部材１２には挿入口２２から所定の距離（Ｌ）だけ容器内に入った位置に突起１３が形成されている。なお弾性部材１２の先端に複数個の凹凸を形成してもよく、このようにすれば陰茎と弾性部材１２との密着性がより強固となる。
【００１８】
このリング体１０は、円筒状の容器２０の挿入口２２に外周縁１４が着脱可能に嵌着され、その中心孔１５は容器２０内へ突入するように構成されている。突入部においては、隣接する弾性部材同士１１と１２は離隔して延在している。そして、これらの弾性部材１１，１２は陰茎を締め上げる先端において互いに接触するように構成されている。なお、先端に複数個の凹凸を形成してもよく、このようにすれば陰茎と弾性部材１１，１２との密着性がより強固となる。
また、容器２０内への突出部において隣接する弾性部材同士１１，１２は、不規則間隔で離隔して延在するようにしておくのが良い。このように構成すると、弾性部材１１と１２の間に空間が構成され、弾性部材１１，１２による２つの圧力隔壁によって容器２０の内部と外部との差圧が２分割されるようになる。
【００１９】
即ち吸引され減圧された容器２０内の気圧をＰ１、弾性部材１１と１２との間の空間の気圧をＰ２、弾性部材の外の空間の気圧をＰ３とすると、Ｐ３＞Ｐ２＞Ｐ１の関係が成立し、これは容器２０の内外の圧力差（差圧）が２分割されて各弾性部材１１，１２に印加されていることを意味する。これにより、弾性部材１１，１２の１枚当たりの隔壁を薄くできるため、中心孔１５から陰茎を挿入し易くなる。また、２つの隔壁により、容器２０を体に押し付けたときの陰毛などのパッキン疎外要素を分断できるため、容器２０内の真空気密性が高まる。
【００２０】
さらに本発明では、容器２０内において内側に位置する弾性部材１２には、突起１３が形成されている。この突起１３の役割は、陰茎を挿入口２２から挿入後に挿入した陰茎を距離Ｌだけ容器２０の内外方向に移動させることにより、即ち、突起１３により陰茎を擦って刺激することにより勃起保持力を向上させることにある。
本発明で使用されるリング体１０は２層の弾性部材１１，１２を使用しているため、３層の弾性部材を使用した特許文献４に示すリング体と比較すると真空気密性は３層の場合が−３５０ｍｍＨｇに対し、２層の場合が−２００ｍｍＨｇと劣る。しかし、本発明のリング体１０は、突起１３を設けたことにより、真空気密性の劣化を十分カバーし、勃起保持力は３層の場合と遜色ないレベルに達する。
【００２１】
図４に示すような従来の陰茎勃起補助器具及びリング体を使用する場合には、通常はある程度の勃起状態を作ってから使用する必要があったが、本発明に係るリング体では、挿入孔の径を小さくできるので、陰茎が勃起していない状態からでも吸引により容器内に陰茎を引き込めるので、勃起状態を予め作る必要はない。ちなみに、本発明に係るリング体では挿入孔の最小径を１０ｍｍ以下にすることも可能である。
なお、弾性部材としては、弾力性があり伸縮が自在な材料であれば良く、シリコーン樹脂や熱硬化性エラストマー又は熱可塑性エラストマーを用いることができる。
【００２２】
次に図１に示したリング体１０を備えた本発明の実施例に係る陰茎勃起補助器具について説明する。
図２は、本発明の陰茎勃起補助器具の一実施例を示す断面構造図である。
まず、一端にリング体１０の挿入口２２が、他端に排気口２４が設けられた円筒状の容器２０が用意される。容器２０の一端の挿入口２２に、図１で説明したリング体１０がその外周縁１４が弾力的かつ着脱可能に嵌着される。
【００２３】
リング体１０はその中心孔１５が容器２０内へ突入するように容器２０に取付けられる。即ち、リング体１０の外周縁１４は容器２０の外壁へ、リング体１０の容器２０への突入部は、容器２０の内壁へ接触するように容器２０へ取付けられる。
なお図２では、リング体１０の容器２０への突入部は、容器２０の内壁へ接触しているが、必ずしも接触する必要はなく、内壁から離隔していても良い。
容器２０を透明な樹脂で作製し、かつ内壁及び外壁面を曇り防止加工しておくと、中心孔１５から挿入された陰茎の容器２０内での状態を確認し易く、安全に使用できる。また視認性が高まることにより、目からの刺激を受け男性ホルモンの分泌が活発となり中枢性勃起を誘発する。
【００２４】
リング体１０を容器２０に取付け、その中心孔１５から陰茎を挿入し、その根本でリング体１０を嵌着した状態で、２層の弾性部材１１，１２の先端部で陰茎を支えた状態で、排気口２４から容器２０内の空気を吸引して容器２０内を減圧する。すると、弾性部材１１，１２の先端部で支えられた陰茎がその根本で締め上げられて鬱血し、勃起する。
またリング体１０で嵌着した状態で陰茎を容器２０の内外方向に距離Ｌだけ移動させて突起１３により陰茎を擦って刺激し、勃起保持力を向上させる。勃起後に容器２０をリング体１０から分離しても、リング体１０は勃起した陰茎に気密を保ってしっかりと密着しているため、勃起状態は所定時間持続する。この間に、陰茎に対して薬材の注入等の治療を行うことができる。
【００２５】
図３は、本発明の陰茎勃起補助器具の他の実施例を示す断面構造図である。
図２に示す実施例と異なる点は、容器２０内に円筒状の袋体３０を着脱可能に挿入して装着した点にある。袋体３０は天然ゴム又は合成ゴムなどの弾性部材で作製してもよいが、弾性部材１１，１２と同じ材料で作製するのが好ましい。容器２０内に挿入された状態では袋体３０は、容器２０の排気口２４に対向する先端位置に開口３２が設けられている。末端は開放されて袋口を形成している。
袋体３０の内面には凹凸が形成されている。
袋体３０は挿入口２２から容器２０の内壁面に沿って容器２０内に挿入される。その後、リング体１０をこの袋体３０を挟み込むように容器２０に嵌着する。
【００２６】
このような構成を採用すると、リング体１０の中心孔１５から挿入された陰茎の亀頭を袋体３０の内面に形成された凹凸が包み込むことにより刺激が加わり、血管拡張物質が増加し、その結果、血管拡張・血流増加が起こるため、勃起が急速に達成されるという効果がある。
【符号の説明】
【００２７】
１０：リング体
１１，１２：弾性部材
１３：突起
２０：容器
２２：挿入口
２４：排気口
２６：通気口
３０：袋体
３２：開口
【図１】
2020025602.tif 000003
【図２】
2020025602.tif 000004
【図３】
2020025602.tif 000005
【図４】
2020025602.tif 000006